(57)【要約】【課題】短い奥行きのラッチを使用するのにも拘わらず、充分な消音効果を得ることができる消音施錠装置を提供すること。【解決手段】箱体１の係止突条５に接触すべきラッチ４の頭部１３と反対側の尾部１５にはそれぞれ円弧縁２３，２４が形成され、開扉の際にダイヤル機構９を解錠して箱体の蓋扉２を開放するときに、頭部円弧縁２３と係止突条５とを連続的に摺動させることにより、また頭部円弧縁２３と係止突条５との当接に伴って生じるラッチの尾部側への押圧で尾部円弧縁２４とダイヤル錠の収容殻１０の前側開口縁２８とを摺動させることにより、ラッチの制動効果を増大させ、消音効果を高めるようにしている。【選択図】          図９
2004232313.tif 000002
【特許請求の範囲】
【請求項１】
箱体に軸着した蓋扉に装着されるダイヤル錠のダイヤル機構後方に該ダイヤル錠本体から延長される収容殻には、その奥行き方向と垂直に貫通するラッチ収納溝が形成され、また該ラッチ収納溝に隣接してばね収納凹窟が形成され、さらに該ラッチ収納溝の中央付近に上下方向の案内軸が立設され、該ラッチ収納溝の一側開口から外方に突出する頭部と該ラッチ収納溝の他側開口から外方に突出しうる尾部とを有すると共に該頭部と該尾部とを結ぶ方向に延長して該案内軸が挿通する溝孔が穿孔されたラッチは、該ばね収納凹窟内に配置されたばねの弾力により該頭部が該収容殻外に突出する方向および前方に回動する方向に付勢され、該ラッチの該頭部には施錠時に該ラッチの該頭部の前方を該箱体の内側に突設された係止突条に対して前方向に係止させる頭部段縁とそれに後続して該溝孔より後方の位置を中心とする頭部円弧縁とが縁取られ、また該頭部と反対側の尾部には、該溝孔の尾部側端に該案内軸が存在するときにその軸心を中心とする尾部円弧縁が縁取られ、さらに該収容殻における該他側開口の前側開口縁は該尾部円弧縁のなす円弧上に位置され、該ダイヤル機構を解錠して該蓋扉を開放するときに該ばねの弾発力による該ラッチの復元方向への急激な回動を、該頭部円弧縁と該係止突条との連続的な摺動により、また該頭部円弧縁と該係止突条との摺動に伴う該ラッチの押圧で生じる該尾部円弧縁と該他側開口の該前側開口縁との摺動により緩和することを特徴とする消音施錠装置。
【請求項２】
前記頭部段縁と後続する前記頭部円弧縁とは頭部曲縁によって連続していることを特徴とする請求項１記載の消音施錠装置。
【請求項３】
前記尾部円弧縁と前記溝孔に沿う方向に縁取られるラッチ前縁とは尾部曲縁によって連続していることを特徴とする請求項１または請求項２記載の消音施錠装置。
【請求項４】
前記係止突条には、水平断面で少なくとも該箱体の前方から後方にかけて前記箱体内側に向いた傾斜面が形成され、またほぼ該箱体内側面に対して垂直とされた後端面が形成されていることを特徴とする請求項１乃至３のいずれか１項記載の消音施錠装置。
【発明の詳細な説明】
【０００１】
【発明の属する技術分野】
本発明は、消音施錠装置、より具体的には郵便箱等の蓋扉を開扉する際に、ばねによって付勢されたダイヤル錠のラッチの復元によって発生する騒音を消音する消音施錠装置に関する。
【０００２】
【従来の技術】
蓋扉にダイヤル錠が設置された郵便箱は周知である。このような郵便箱における問題点の一つは騒音の発生である。即ちダイヤル錠には郵便箱に設けた係止突条に係止するラッチを有し、ダイヤル錠のダイヤル機構を開扉状態として蓋扉を開扉すると、このラッチは付勢されたばねに抗して係止突条を乗り越えて開閉の拘束を解除し、その後ばねの付勢によってラッチは急速に元位置に復帰するが、その際にラッチはそれを保持する収容殻に激しく衝突することにより鋭い衝突音を発生する。この衝突音の発生を軽減するための方策として、ラッチ頭部の緩衝片外端縁を円弧状に形成して、開扉時に緩衝片外端縁と郵便箱に取り付けたラッチ係止片とを摺接させ、ラッチの復元速度を低下させることによって衝撃音を軽減させようとする技術が開発されている（例えば、特許文献１参照）。しかしながらこの技術は、開扉時に生じるラッチの蓋扉ヒンジ方向への応力を消音に充分生かし切れないこと、ラッチの頭部を比較的に長い鎌状とするので、開扉時に郵便箱内の内容物を取り出すのにラッチが邪魔になったり、また蓋扉に存在する郵便物挿入口から指や器具を挿入することによって閉扉状態における長いラッチ頭部を操作して解錠させてしまう行為を許容する等の問題点を有する。
【０００３】
【特許文献１】
特開２００２−３０３０６３号公報
【０００４】
【発明が解決しようとする課題】
本発明が解決しようとする課題は、前記した問題点を解決すべく、短い奥行きのラッチを使用するのにも拘わらず、充分な消音効果を得ることができる消音施錠装置を提供することにある。
【０００５】
【課題を解決するための手段】
前記課題を解決するために、本発明では、箱体の係止突条に接触すべきラッチの頭部と反対側の尾部にはそれぞれ円弧縁が形成され、開扉の際にダイヤル機構を解錠して箱体の蓋扉を開放するときに、頭部円弧縁と箱体に突設させた係止突条とを連続的に摺動させることにより、また頭部円弧縁と係止突条との当接に伴って生じるラッチの尾部側への押圧で尾部円弧縁とダイヤル錠の収容殻の開口縁とを摺動させることにより、ラッチの制動効果を増大させ、消音効果を高めるようにしている。
【０００６】
【発明の実施の形態】
本発明にかかる消音施錠装置は、箱体に軸着した蓋扉に装着されるダイヤル錠のダイヤル機構後方に該ダイヤル錠本体から延長される収容殻には、その奥行き方向と垂直に貫通するラッチ収納溝が形成され、また該ラッチ収納溝に隣接してばね収納凹窟が形成され、さらに該ラッチ収納溝の中央付近に上下方向の案内軸が立設され、該ラッチ収納溝の一側開口から外方に突出する頭部と該ラッチ収納溝の他側開口から外方に突出しうる尾部とを有すると共に該頭部と該尾部とを結ぶ方向に延長して該案内軸が挿通する溝孔が穿孔されたラッチは、該ばね収納凹窟内に配置されたばねの弾力により該頭部が該収容殻外に突出する方向および前方に回動する方向に付勢され、該ラッチの該頭部には施錠時に該ラッチの該頭部の前方を該箱体の内側に突設された係止突条に対して前方向に係止させる頭部段縁とそれに後続して該溝孔より後方の位置を中心とする頭部円弧縁とが縁取られ、また該頭部と反対側の尾部には、該溝孔の尾部側端に該案内軸が存在するときにその軸心を中心とする尾部円弧縁が縁取られ、さらに該収容殻における該他側開口の前側開口縁は該尾部円弧縁のなす円弧上に位置され、該ダイヤル機構を解錠して該蓋扉を開放するときに該ばねの弾発力による該ラッチの復元方向への急激な回動を、該頭部円弧縁と該係止突条との連続的な摺動により、また該頭部円弧縁と該係止突条との摺動に伴う該ラッチの押圧で生じる該尾部円弧縁と該他側開口の該前側開口縁との摺動により緩和することを主な特徴とする。
【０００７】
また開扉時に係止突条をラッチの頭部が乗り越える際に、円滑な動作を保証すると共に、乗り越えによって該ラッチに尾部方向への強い押圧力を作用させるために、前記頭部段縁と後続する前記頭部円弧縁とは頭部曲縁によって連続していることを特徴とする。
【０００８】
さらに開扉時に尾部円弧縁が他側開口の前側開口縁に対し、非接触状態から摺動状態に円滑に移行できるようにするために、前記尾部円弧縁と前記溝孔に沿う方向に縁取られるラッチ前縁とは尾部曲縁によって連続していることを特徴とする。
【０００９】
また開扉時にラッチ頭部と係止突条との接触時間を長く保ってばねの付勢による回転力を摩擦に変換しやすくすると共に、閉扉時にもラッチが蓋扉のヒンジ方向への移動を円滑に行えるようにするために、さらに閉扉状態でラッチが係止突条に完全に係止されるようにするために、前記係止突条には、水平断面で少なくとも該箱体の前方から後方にかけて前記箱体内側に向いた傾斜面が形成され、またほぼ該箱体内側面に対して垂直とされた後端面が形成されていることを特徴とする。
【００１０】
【実施例】
本発明の実施例について添付図面を参照して説明する。
図１は本発明が使用される箱体１、具体的には郵便箱が示されている。箱体１には挿入口を備えた蓋扉２がその一側を箱体１に軸着されている。蓋扉２の他側には、その後方部が図２に示されるようなダイヤル機構を備えたダイヤル錠３が取り付けられ、ダイヤル錠３における後述するラッチ４が箱体１の内側部に固着された係止突条５に係止することによって蓋扉２の施錠ができるようにされている。図３には蓋扉２に取り付けられたダイヤル錠３において、解錠時に蓋扉２を引き、ラッチ４が係止突条５を乗り越す状態の水平断面が示されている。本発明ではダイヤル錠３のダイヤル機構にその要点が存在しないので、その機構の説明は省略する。概略の機能について説明すると、つまみ６に所定の回転を付与すると、連動する第一リング７および第二リング８が回転し、解錠状態では第一リング７と第二リング８のそれぞれの切り欠き７ａおよび８ａの位置が合致した位置でつまみ６を引いて蓋扉２を開く操作を行うと、ダイヤル機構９の後方に延長される収容殻１０に収容されているラッチ４の尾部を切り欠き７ａおよび８ａに侵入させることが可能となり、その結果ラッチ４は後述する溝孔１６内に存在する案内軸１７を中心に回転可能となり、ラッチ４の時計方向の回転により係止突条５からのラッチ４の拘束を解いて開扉することができるようになる。なおダイヤル錠にはプッシュ式のダイヤル錠を採用することもある。
【００１１】
収容殻１０の内部には、その奥行き方向と垂直に収容殻１０を貫通するラッチ収納溝１１が形成されラッチ４はこの溝内に収容されている。ラッチ４は箱体１の係止突条５に係止する側、即ちラッチ収納溝１１の一側開口１２から突出する頭部１３とその反対側の他側開口１４から突出しうる尾部１５とを有すると共に頭部１３と尾部１５とを結ぶ方向に延長した溝孔１６が穿孔されている。溝孔１６には対応するラッチ収納溝１１の中央付近において収容殻１０から上下方向に立設された案内軸１７が挿通している。ラッチ収納溝１１に隣接して収容殻１０にはばね収容凹窟１８が形成され、ばね１９が収容されている。ばね１９の一端はラッチ４側縁に突設されたばね止め突起２０に係合され、ばね１９の弾力によりラッチ４の頭部１３が収容殻１０外に突出する方向および前方に回動する方向に付勢されている。ラッチ４の頭部１３には、施錠時に頭部１３の前方を箱体１の内側に突設された係止突条５に対して前方向に係止させる頭部段縁２１とそれに後続して溝孔１６より後方の位置２２を中心とする頭部円弧縁２３が縁取られ、また頭部１３と反対側の尾部１５には、溝孔１６の尾部側端に案内軸１７が存在するときにその軸心を中心とする尾部円弧縁２４が縁取られている。
【００１２】
頭部段縁２１と後続する頭部円弧縁２３とは頭部曲縁２５によって連続しており、また尾部円弧縁２４と溝孔１６に沿う方向に縁取られるラッチ前縁２６とは尾部曲縁２７によって連続している。再び収容殻１０において他側開口１４の前側開口縁２８は尾部円弧縁２４のなす円弧上に位置されている。次に箱体１に止着される係止突条５の構造について説明する。係止突条５の分解斜視図である図４と開扉状態の説明用断面図である図５において、箱体１の内側部における前縁に沿って口状金具２９をその中間位置に突設した隅金具３０が止着される。そして口状金具２９の断面長方形状の前桟３１に合成樹脂製の被覆部材３２を被覆嵌着させて係止突条５が形成される。被覆部材３２は前方の中空三角形状断面に後続して対向係止縁付きコ字状断面を有し、コ字状断面部分を前桟３１に嵌着させて口状金具２９に止着されている。係止突条５で重要な点は被覆部材３２の中空三角形断面部分における内側の斜面が箱体１の前方から後方にかけて箱体１の内側に向いた傾斜面３３、特に断面凸円弧状の傾斜面３３とされていることと、コ字状断面部分の後面が箱体１内側面に対して垂直とされた後端面３４とされていることである。なお本発明におけるラッチ４はその頭部円弧縁２３が比較的短く形成されているので、施錠時に口状金具２９内のスペースにラッチ４が完全に収容されるから、郵便物挿入口から指や器具を挿入してラッチ４を操作することは不可能となり、このような操作で開扉する行為を防止することができる。
【００１３】
次にラッチ関連の動作を説明する。前述のように図５は開扉状態が示されていて、このときラッチ４は、ばね１９の付勢により案内軸１７が溝孔１６の尾部側端に達した状態でラッチ４の頭部１３が収容殻１０外に突出した状態とされている。開扉状態から閉扉状態に移行する途中の状態が図６に示されている。閉扉のために蓋扉２を押し込むと、ラッチ４の頭部１３における頭部円弧縁２３が箱体１に止着された係止突条５の傾斜面３３に接触する。そのまま押し込みを続けると係止突条５が頭部１３の頭部円弧縁２３を押圧するようになり、ばね１９の付勢に抗してラッチ４はその頭部１３が収容殻１０に引き込まれるように蓋扉２のヒンジ方向に移動する。係止突条５の傾斜面３３は頭部円弧縁２３に対して円滑に接触する。特に傾斜面３３を断面凸円弧状に形成した場合にはより円滑な接触を得ることができる。そしてラッチ４の蓋扉２におけるヒンジ方向への移動も円滑に行われる。突条５が頭部円弧縁２３を越えて頭部曲縁２５を通過し頭部段縁２１に差し掛かると、図７に示されるように、ばね１９の付勢によりラッチ４の頭部１３が収容殻１０外に突出した状態に戻り、頭部段縁２１が係止突条５の後端面３４に係止して蓋扉２の施錠が完成する。
【００１４】
閉扉して施錠状態の蓋扉２を開扉するには、図３を参照して既に説明したように、先ずダイヤル錠３のつまみ６を回転して解錠状態とする。解錠状態で蓋扉２を引き寄せると、図８に示されるように、引き寄せによって係止突条５の後端面３４がラッチ４の頭部１３における頭部段縁２１を押圧し、解錠状態によりラッチ４の尾部１５の拘束が開放されているので、ラッチ４は、ばね１９の付勢により案内軸１７が溝孔１６の尾部側端に達した状態を維持しながらばね１９の付勢に抗して案内軸１７を中心に時計方向の回転を開始する。引き寄せを続行し、やがて係止突条５が頭部段縁２１を乗り越えた途端に、係止突条５から開放されたラッチ４はばね１９の弾力により頭部１３が収容殻１０外に突出する方向および反時計回りに回転する復帰運動を開始する。しかしながら人の手による蓋板２の引き寄せ速度に比較して軽量なラッチ４のばね１９による運動速度は充分に速いから、この過程を通じて、図９に示すように、係止突条５が頭部曲縁２５から頭部円弧縁２３に当接し、この当接によってラッチ４には尾部方向への応力が作用するので、尾部円弧縁２４が他側開口１４の前側開口縁２８に当接することになる。
【００１５】
ラッチ４の頭部段縁２１と後続する頭部円弧縁２３とを頭部曲縁２５によって連続させると、頭部１３が係止突条５を乗り越える際に、円滑な動作を保証すると共に、乗り越えによってラッチ４に尾部１５の方向への強い押圧力を作用させることができる。また尾部円弧縁２４と溝孔１６に沿う方向に縁取られるラッチ前縁２６とは尾部曲縁２７によって連続しているから、開扉時に尾部円弧縁２４が他側開口１４の前側開口縁２８に対し非接触状態から摺動状態に円滑に移行させることができる。前記した当接によりラッチ４の復帰運動は、係止突縁５と頭部曲縁２５乃至頭部円弧縁２３との間および前側開口縁２８と尾部円弧縁２４との間に摩擦を発生させ、これらの摩擦によりラッチ４における復帰運動の速度は減速され、やがて図５に示される開扉状態に至るときにラッチ４が収容殻１０その他に突き当たって発生する衝突音を確実に減少させる。このように摩擦箇所を２箇所設けることにより頭部円弧縁２３を比較的短く形成したラッチ４でも、またラッチ４の接触する縁に合成樹脂等の被覆をしないでも充分に消音を行うことができる。なお係止突条５の傾斜面３３は頭部１３と係止突条５との接触時間を長く保ってばね１９の付勢による回転力を摩擦に変換しやすくし、また係止突条５の箱体１の内側面に垂直な後端面３４は閉扉状態でラッチ４を係止突条５に対して完全に係止するのに役立つ。
【００１６】
【発明の効果】
本発明は、次のような効果を奏する。
Ａ．蓋扉の引き寄せを続行すると、係止突条が頭部段縁を乗り越えた途端に、係止突条から開放されたラッチはばねの弾力によりその頭部が収容殻外に突出する方向および反時計回りに回転する復帰運動を開始するが、人の手による蓋板の引き寄せ速度に比較して軽量なラッチのばねによる運動速度は充分に速いから、係止突条が頭部円弧縁に当接し、この当接によってラッチには尾部方向への応力が作用するので、尾部円弧縁が他側開口の前側開口縁に当接することになるのでラッチの復帰運動は、係止突縁と頭部円弧縁との間および前側開口縁と尾部円弧縁との間に摩擦を発生させ、これらの摩擦によりラッチにおける復帰運動の速度は減速され、開扉状態に至るときにラッチが収容殻その他に突き当たって発生する衝突音を確実に減少させる。
Ｂ．摩擦箇所を２箇所設けることにより頭部円弧縁を比較的短く形成したラッチでも、またラッチの接触する縁に合成樹脂等の被覆をしないでも充分に消音を行うことができる。
【００１７】
Ｃ．ラッチの頭部段縁と後続する頭部円弧縁とを頭部曲縁によって連続させると、開扉時に係止突条をラッチ頭部が乗り越える際に、円滑な動作を保証すると共に、乗り越えによってラッチに尾部方向への強い押圧力を作用させることができる。
Ｄ．尾部円弧縁と溝孔に沿う方向に縁取られるラッチ前縁とは尾部曲縁によって連続させると、開扉時に尾部円弧縁が他側開口の前側開口縁に対し非接触状態から摺動状態に円滑に移行させることができる。
Ｅ．係止突条には、水平断面で少なくとも該箱体の前方から後方にかけて箱体内側に向いた傾斜面が形成され、またほぼ箱体内側面に対して垂直とされた後端面が形成されれば、開扉時にラッチ頭部と係止突条との接触時間を長く保ってばねの付勢による回転力を摩擦に変換しやすくし、また閉扉時にもラッチが蓋扉のヒンジ方向への移動を円滑に行えると共に、さらに閉扉状態でラッチが係止突条に完全に係止される。
【図面の簡単な説明】
【図１】ダイヤル錠が蓋扉に装備された箱体の部分斜視図である。
【図２】使用されるダイヤル錠の斜視図である。
【図３】解錠状態におけるダイヤル錠の水平断面図である。
【図４】箱体に止着されるラッチ係止用の係止突条を示す部分分解斜視図である。
【図５】開扉状態におけるラッチ関連動作を示すダイヤル錠部分の説明用水平断面図である。
【図６】閉扉途中状態におけるラッチ関連動作を示す図５と同趣旨の断面図である。
【図７】閉扉状態におけるラッチ関連動作を示す図５と同趣旨の断面図である。
【図８】初期の開扉途中状態におけるラッチ関連動作を示す図５と同趣旨の断面図である。
【図９】中期の開扉途中状態におけるラッチ関連動作を示す図５と同趣旨の断面図である。
【符号の説明】
１  箱体
２  蓋扉
３  ダイヤル錠
４  ラッチ
５  係止突条
９  ダイヤル機構
１０  収容殻
１１  ラッチ収納溝
１２  一側開口
１３  頭部
１４  他側開口
１５  尾部
１６  溝孔
１７  案内軸
１８  ばね収容凹窟
１９  ばね
２０  ばね止め突起
２１  頭部段縁
２２  後方の位置
２３  頭部円弧縁
２４  尾部円弧縁
２５  頭部曲縁
２６  ラッチ前縁
２７  尾部曲縁
２８  前側開口縁
３３  傾斜面
３４  後端面
【図１】
2004232313.tif 000003
【図２】
2004232313.tif 000004
【図３】
2004232313.tif 000005
【図４】
2004232313.tif 000006
【図５】
2004232313.tif 000007
【図６】
2004232313.tif 000008
【図７】
2004232313.tif 000009
【図８】
2004232313.tif 000010
【図９】
2004232313.tif 000011